Podtech/llm-jp-corpus-v4-ja_patent huggingface dataset:
(57)【要約】【課題】被服の出所を標示するのに加え、夜間等の暗闇において被服を視認するのにも役立つ、商品価値の高い織ネームおよびプリントネームを提供する。【解決手段】マークやブランド名を標示する織ネーム１およびプリントネームにおいて、蓄光部４をその縁部に形成する。【選択図】図１
0003110754.tif 000002
【実用新案登録請求の範囲】
【請求項１】
マークやブランド名を標示する織ネームおよびプリントネームにおいて、蓄光部がその縁部に形成されていることを特徴とする夜光性織ネームおよびプリントネーム。
【請求項２】
前記蓄光部が、蓄光顔料の印刷層または蓄光性の糸からなることを特徴とする請求項１に記載のネーム。
【請求項３】
前記蓄光部の発光前の色が、前記縁部の地色と略同一であることを特徴とする請求項１または２に記載のネーム。
【考案の詳細な説明】
【技術分野】
【０００１】
本考案は、マークやブランド名を標示するために衣服の衿裏等に縫着される織ネーム（ＷＯＶＥＮ  ＬＡＢＥＬ）およびプリントネーム（ＰＲＩＮＴＥＤ  ＬＡＢＥＬ）に関する。
【背景技術】
【０００２】
従来、シャツや上着等の被服の一部には、マークやブランド名等が織り込まれた織ネームまたはプリントされたプリントネームが縫着されており、これらは需要者が製品購入時にその出所を確認するのに役立っている。
【考案の開示】
【考案が解決しようとする課題】
【０００３】
しかしながら、その購入後、これらの織ネームまたはプリントネームが、そのデザインや色彩による審美性以外の部分で、一般消費者の役に立つということはほとんどなかった。一方、被服特に衣服は、夜間等の暗闇において視認できると、災害時等の緊急時に即座に発見し、着用することができ、非常に有用である。
【０００４】
本考案は上記事情に鑑みてなされたものであり、その目的とするところは、被服の出所を標示するのに加え、夜間等の暗闇において被服を視認するのにも役立つ、商品価値の高い織ネームおよびプリントネームを提供することにある。
【課題を解決するための手段】
【０００５】
上記課題を解決するために本考案は、マークやブランド名を標示する織ネームおよびプリントネームにおいて、蓄光部をその縁部に形成したことを特徴とする。
【０００６】
また、上記構成において、前記蓄光部が蓄光顔料の印刷層または蓄光性の糸からなるのが好ましい。ここで、蓄光性の糸は、蓄光性のフィルムを糸条に細く裁断したものを含むものとする。
【０００７】
また、上記構成において、前記蓄光部の発光前の色が、前記縁部の地色と略同一であるのが好ましい。
【考案の効果】
【０００８】
上記のように構成された本考案の織ネームおよびプリントネームによれば、マークやブランド名を示す箇所にかからない縁部に蓄光性を有する部分を設けているため、そのブランド等特有のデザインおよび色彩を維持しつつ出所標示をすることができ、かつ、夜間等の暗闇において被服等を視認し易くすることができる。
なお、蓄光性を有する部分の発光前の色が、上記縁部の地色に近い色となるように構成した場合は、上記視認性の向上に伴う出所標示機能への影響を、更に少なくすることができる。
【考案を実施するための最良の形態】
【０００９】
以下、図面を参照して本考案の好ましい一実施形態につき説明する。
図１は、本考案の実施形態にかかる織ネーム１の平面図である。
【００１０】
図１に示すように、織ネーム１は、ポリエステル繊維等からなる基布２の表面に、マーク３ａやブランド名等のネーム３ｂからなる有色の図柄模様３が織成され、かつ、蓄光顔料からなる蓄光部４が基布２の左右縁部に設けられている。
基布２および図柄模様３は、周知の細幅織機等によって、織ネーム使用者が指定するデザインおよび色彩の通りに織成される。その後、スクリーン印刷によって、硫化亜鉛・銅系等の蓄光顔料がその左右縁部に塗布され、帯状の蓄光部４が形成される。ここで、蓄光顔料は、発光前は淡い緑色であるため、基布２が白色であればほとんど目立たない。
そして、織ネーム１は、例えばシャツや上着等の衣服（不図示）の衿裏に縫着して使用される。
【００１１】
上記のように形成、縫着された織ネーム１は、マークやネーム以外の箇所に蓄光部分を設けているため、そのマークやネーム特有のデザインおよび色彩を忠実に標示すると共に、夜間等の暗闇において被服等を視認し易くすることができる。従って、夜間に生じた災害等の緊急時に、当該被服を即座に発見し、着用することができる。また、特別な装置を必要とせず、従来の装置および方法によって安価に製造することができる。
【００１２】
なお、上記実施形態は織ネームに蓄光顔料を印刷したものであるが、マークやネームをスクリーン印刷等によってプリントする周知のプリントネームに対し、同様に印刷によって蓄光部を設けてもよい。この場合、マークやネームの印刷と蓄光部分の印刷とを同じ装置で行うことができ、より安価に製造することができる。
また、基布は、ナイロン、レーヨン、シルク、コットン等からなる織物が適宜用いられる。また、蓄光部が形成される位置は、マークやネームの標示にかからない位置であればよく、基布における上下左右縁部のいずれかでよい。更に、蓄光部の数やその平面形状も、適宜選択できる。
【００１３】
また、上記実施形態においては蓄光部をスクリーン印刷によって形成したが、シーリング印刷によっても形成できる。更に、織ネームの場合は、周知の蓄光性の糸または糸条の蓄光性フィルムを、マークやネームの標示にかからない位置に織成し、蓄光部を設けてもよい。
【図面の簡単な説明】
【００１４】
【図１】本考案にかかる織ネームを示す平面図である。
【符号の説明】
【００１５】
１  織ネーム
２  基布
３ａ  マーク
３ｂ  ネーム
３  図柄模様
４  蓄光部
【図１】
0003110754.tif 000003
(57)【要約】【課題】    フェンスに正面又は背面の両方から植栽を見える様に付設する場合、フェンスの正面又は背面の両方に植栽を設けなければならなかった。【解決手段】複数の矩形材を平行に並べて形成されたフェンスの一部に楕円又は対象形の開口部を設け、この開口部に植栽を付設したフェンス。【選択図】      図２  
0003110759.tif 000002
【実用新案登録請求の範囲】
【請求項１】
複数の矩形材を平行に並べて形成されたフェンスの一部に開口部を設けたフェンス
【請求項２】
楕円又は対象形の開口部を設けた請求項１に記載のフェンス。
【請求項３】
開口部に植栽を付設した請求項１ないし２に記載のフェンス。
【考案の詳細な説明】
【技術分野】
【０００１】
本考案はウッドデッキ等の付設用途として使用されるガーデンフェンスに関する。
【背景技術】
【０００２】
従来のフェンスでは矩形材を平行に並べて正面と背面の矩形材をクロスする事で形成されたフェンスであったので（図１）フェンスに植栽を設ける場合、フェンスの正面又は背面のどちらか一方又は両方に設けていた。  
【考案の開示】
【考案が解決しようとする課題】
【０００３】
しかし、このフェンスは正面と背面の両方から植栽を見ようとすると、正面と背面の両方に設けなければならないと言う問題があった。
【課題を解決するための手段】
【０００４】
請求項１に記載するように複数の矩形材を平行に並べて形成されたフェンスの一部に開口部を設けたフェンス。
【０００５】
また請求項２に記載するように楕円又は対象形の開口部を設けた請求項１に記載のフェンス。
【０００６】
開口部に植栽を付設した請求項１ないし２に記載のフェンス。
【考案の効果】
【０００７】
よって、本考案のガーデンフェンスにより、開口部に植栽を付設でき、正面及び背面の両方から植栽を見ることができる。
【考案を実施するための最良の形態】
【０００８】
本考案に係るガーデンフェンスは図２に示すように、複数の矩形材（５）を平行に並べて正面と背面の矩形材をクロスする事でフェンス（１）を形成する。そのフェンスに星型の枠組み（２）により形成した開口部（３）を設ける。この星型の枠組み（２）に支持具（６）を取り付け開口部（３）に植栽（４）を付設する。その開口部（３）の形状は星型に限定されず四角形（図３）又は月型（図４）又は五角形（図５）でもよい。又、図６に示すような開口部の形状の一部がフェンスからはみ出した構造でもよい。
【図面の簡単な説明】
【０００９】
【図１】矩形材を平行に並べて正面と背面の矩形材をクロスする事で形成された従来のフェンスである。
【図２】本考案に係るガーデンフェンスに楕円又は対象形の開口部を設けた状態のＡは正面図及びＢは背面図である。
【図３】四角形の開口部を設けたフェンス
【図４】月型の開口部を設けたフェンス
【図５】五角形の開口部を設けたフェンス
【図６】開口部の一部がはみだしたフェンス
【符号の説明】
【００１０】
１  複数の矩形材を平行に並べて形成されたフェンス
２  星型の枠組み
３  開口部
４  植栽
５  矩形材
６  支持具
【図１】
0003110759.tif 000003
【図２】
0003110759.tif 000004
【図３】
0003110759.tif 000005
【図４】
0003110759.tif 000006
【図５】
0003110759.tif 000007
【図６】
0003110759.tif 000008
(57)【要約】【課題】  鼻背（はなすじ）とその両側面から成る外鼻と鼻孔に密接して鼻孔からの花粉などの粉塵が吸入されない鼻保護体と該鼻保護体を用いた鼻マスクを提供すること。【解決手段】  外鼻と鼻孔部を収納できる空間部５を有する鼻収納部１と、鼻収納部１の逆Ｖ字開口部３、４の稜線を基点として開口する開口部全周に周設される密着保持部２とで鼻保護体Ａが構成され、鼻マスクＢはマスク本体７の内面に鼻保護体ＡをそのＶ字開口部３、４に沿う稜線に突設した接合突片６において接合して成る。【選択図】  図２
0003110752.tif 000002
【実用新案登録請求の範囲】
【請求項１】
鼻と鼻孔部を収納できる空間部を有する鼻収納部と、該鼻収納部の逆Ｖ字開口部の稜線を基点として開口する開口部全周に周設される密着保持部とから成る鼻保護体。
【請求項２】
マスク本体の内面に鼻保護手段を設けて成るマスクにおいて、
鼻保護手段が請求項１記載の鼻保護体であって、逆Ｖ字開口部の稜線においてマスク本体の内面に接合されて成る鼻マスク。
【考案の詳細な説明】
【技術分野】
【０００１】
本考案は、主として花粉や粉塵の吸入を防止する鼻保護体と鼻マスクに関する。
【背景技術】
【０００２】
従来からマスク本体の内面に鼻孔及び口唇部を覆う保護手段を設けたマスクは提案され、保護手段が伸縮性筒状布内に設ける椀状の保形具である特許文献１（実開平４−０６５５５９号公報）や、ドームによって顔面との密着性を図る特許文献２（特開平９−０８４８９０号公報）や、特許文献３（特開平９−２７６４２４号公報）等は一見本考案の鼻マスクの構造に似ているが、外から見た鼻すなわち三角形状の外鼻の外周縁と鼻孔への密着性に乏しく、鼻脇から花粉などの粉塵が吸入されるおそれがある。
【特許文献１】実開平４−０６５５５９号公報
【特許文献２】特開平９−０８４８９０号公報
【特許文献３】特開平９−２７６４２４号公報
【考案の開示】
【考案が解決しようとする課題】
【０００３】
本考案は、外鼻の外周縁と鼻孔に密接して花粉などの粉塵が吸入されない鼻保護体と該鼻保護体を用いた鼻マスクを提供しようとする。
【課題を解決するための手段】
【０００４】
本考案の請求項１に記載した鼻保護体は、外鼻と鼻孔部を収納できる空間部を有する鼻収納部と、該鼻収納部の逆Ｖ字開口部の稜線を基点として開口する開口部全周に周設される密着保持部とから成る。
請求項２に記載した鼻マスクは、マスク本体の内面に鼻保護手段を設けて成るマスクにおいて、
鼻保護手段が請求項１に記載された鼻保護体であって、逆Ｖ字開口部の稜線においてマスク本体の内面に接合されて成る。
【考案の効果】
【０００５】
本考案の鼻マスクによれば、鼻保護体の逆Ｖ字開口部の稜線を基点として鼻背（はなすじ）に沿って鼻を鼻収納部の空間部に収納するとともに、開口する開口部全周の密着保持部を鼻孔部の周縁に密着できるから、粉塵の吸入される隙間がなく防塵効果が大きい。構造も極めて簡易であるから、低廉に提供できる。
【考案を実施するための最良の形態】
【０００６】
鼻保護体とマスク本体との関係は、鼻収納部の逆Ｖ字開口部の稜線が全域に渡ってマスク本体の内面に接合されるものや、部分的に接合されるものも提供され、稜線でのマスク本体の内面への接合が着脱自在のものや、密着保持部がスポンジなどの圧着変形自在なもの、シリコンゴムなどの粘着性のある密着度の高いものも選択される。
【実施例】
【０００７】
本考案の鼻保護体Ａを実施例により説明すると、図１に示すように、平面視では分図（ａ）の如く矢頭形状の逆Ｖ字状、側面視では分図（ｂ）の如く略五角形状、すなわち、外鼻を全部被覆し鼻孔を覆う一体の外被材が、合成樹脂製又は和紙製などの不織布や弾性に富むガーゼ積層体で形成された鼻収納部１と、鼻収納部１の内面側の周縁に周設され、図２に示すように前記外被材の内底面に延伸して敷設されるスポンジの密着保持部２とから成っている。このものは鼻根から鼻尖（はなさき）までの鼻背（はなすじ）及びその両側斜面（鼻屋）に密接し、鼻孔または鼻の下方の口唇部に密接する形状となり、両逆Ｖ字開口部３、４の間の空間部５に鼻が収納される。空間部５上方の逆Ｖ字開口部３の稜線に沿って接合突片６が突設されて成る。
このようにして成る鼻保護体Ａは、スポンジからなる密着保持部２に両面接着テープ（図外）を接着すれば、単体で鼻に取着して使用できるが、図２に示すように、マスク本体７の内面に接合突片６を介して鼻保護体Ａを接合した鼻マスクＢとして使用される。図２に示した鼻マスクＢにおける鼻保護体Ａは、下部の逆Ｖ字開口部４に貼着される密着保持部２が鼻孔に当接されてより防塵効果を高めるように空間部５に渡って延伸した三角形状に形成されたものである。
【０００８】
鼻マスクＢは、内面の鼻保護体Ａの逆Ｖ字開口部３の密着保持部２で鼻背から両側部にかけて密着し、逆Ｖ字開口部４の密着保持部２で口唇部の上縁と鼻孔部の周縁に密着し、図２に示す内底面に延伸して敷設された密着保持部で鼻孔に密接する。密着保持部２に抗菌処理を施したものは花粉症対策以外に風邪予防にも優れた鼻マスクＢとなる。
【産業上の利用可能性】
【０００９】
本考案の鼻保護体Ａは外鼻及び鼻孔に密着して粉塵の流入を防止し、鼻マスクＢでは耳かけ部８を介してマスク本体７からの押圧によって密着性が保持されるから、従来のマスクにない防塵効果によって需要拡大が期待される。
【図面の簡単な説明】
【００１０】
【図１】本考案に係わる鼻保護体Ａの説明図で、分図（ａ）はその斜視図、分図（ｂ）はその一側面図。
【図２】本考案に係わる鼻マスクＢの背面図。
【符号の説明】
【００１１】
１：鼻収納部
２：密着保持部
３：逆Ｖ字開口部
４：逆Ｖ字開口部
５：空間部
６：接合突片
７：マスク本体
８：耳かけ部
Ａ：鼻保護体
Ｂ：鼻マスク
【図１】
0003110752.tif 000003
【図２】
0003110752.tif 000004
(57)【要約】【課題】  衝撃を加えても破損しにくく、取扱が容易で、軽く、手軽に身だしなみが可能な鏡付き容器を提供する。【解決手段】  有機樹脂フィルム、金属あるいは、金属とプラスチックからなる容器の側面、蓋、あるいは底部の少なくとも一カ所以上に物体を映すことのでき、塩ビ樹脂、アクリル樹脂、ポリカーボネート樹脂、あるいはポリエステル樹脂に、予めアルミニウムを蒸着させたポリエステル樹脂を貼り合わせた樹脂フィルムからなる鏡を有する容器。【選択図】  図１
0003110713.tif 000002
【実用新案登録請求の範囲】
【請求項１】
容器の側面、蓋、あるいは底部の少なくとも一カ所以上に物体を映すことのできる鏡を有することを特徴する容器。
【請求項２】
前記鏡は容器の平坦部あるいは曲面部に取り付けられていることを特徴とする請求項１記載の容器。
【請求項３】
前記容器が、有機樹脂フィルム、金属あるいは、金属とプラスチックからできていることを特徴する請求項１または２記載の容器。
【請求項４】
前記有機樹脂フィルムがポリエステル樹脂からなることを特徴とする請求項１乃至３のいずれか記載の容器。
【考案の詳細な説明】
【技術分野】
【０００１】
本考案は有用な機能を有する飲料容器に関する。特に携帯する飲料容器に物体を映すことが出来るミラー部を設けた飲料容器に関する。
【背景技術】
【０００２】
従来、飲料容器の外面は、内容説明、商品広告などが記載され利用されている。一方、物体を映すためには、コンパクト、手鏡に代表される携帯用ミラーを、ハンドバック、ポケットに入れ持ち歩き利用に供している。持ち歩くこと自体不便であり、持参することを忘れることもあり、また利用する場合、ハンドバックなどから取り出すことも不便である。ミラーの利用は、食後の口内の観察、口周りの観察などのために特に必要である。
【０００３】
例えば、容器のラベル破れなどを検出する方法に関するものが知られている（例えば特許文献１）が、人の顔を写す鏡を有する容器に関するものはない。すなわち、携帯用ミラーを持ち歩く代わりに、ミラー機能を有し、かつ使用後は廃棄処分が可能な物品を持参すれば良い。そのような物品としてＰＥＴボトル、金属缶など飲料容器の側面、蓋、あるいは底部の少なくとも一カ所以上に物体を映すことのできるミラー部を設けることが考えられる。
【特許文献１】特開２００４−１１７１０３号公報
【考案の開示】
【考案が解決しようとする課題】
【０００４】
手鏡などを持参しなくても、またハンドバックなどから取り出さなくても食後の口内、口周りの観察を極めて簡便に観察することが可能とすることが望まれている。また、ガラス製の鏡では、落としたり、衝撃を加えると容易に破壊し、更に破片が人の体に触れると、傷つくケースが多く取り扱いに十分な注意を必要とする。従って、取扱いが容易で、軽く、手軽に身だしなみができることが望まれている。
【０００５】
そこで、本考案は、従来のガラス製の鏡に代えて、軽くて、耐久性があり、怪我をしにくく衛生性に優れ、しかも利便性の高いミラー機能を提供することを目的とする。
【課題を解決するための手段】
【０００６】
樹脂フィルムにメッキ、蒸着したり、透明なフィルムに金属箔を積層したもので物体を映すミラーを飲料容器に貼付、装着などすることにより課題が解決できる。
上記課題を解決する本考案の容器は、容器の側面、蓋、あるいは底部の少なくとも一カ所以上に物体を映すことのできる鏡を有することを特徴する。この場合、前記鏡は容器の平坦部あるいは曲面部に取り付けられていることが望ましい。また、前記容器が、有機樹脂フィルム、金属あるいは金属とプラスチックからできていることが望ましい。更に、前記有機樹脂フィルムがポリエステル樹脂からなることが望ましい。
【考案の効果】
【０００７】
本考案の飲料容器によれば、鏡を常に携帯する必要がなく、落としても割れる心配はなく、口元などの身だしなみが容易にいつでもできる。
【考案を実施するための最良の形態】
【０００８】
図１は本考案の実施形態の一例を示す容器の正面図。
本実施形態の容器は、容器１と鏡取り付け部２の組合わせからなり、図１に示す実施形態では容器の胴体に鏡を添付しているが、蓋あるいは底に取り付けても良い。平面性を有する箇所だけでなく、曲面を有する箇所に取り付けても良い。また、ミラーのサイズ、形状は容器のサイズ、形状、デザイン性などを考慮して選択すればよい。
容器としては、特に限定されないが、有機樹脂フィルム、金属あるいは、金属とプラスチックからできていることが望ましい。容器の種類としては、飲料容器、食缶、調味料容器に適用できる。
【０００９】
鏡としては、塩ビ樹脂、アクリル樹脂、ポリカーボネート樹脂、あるいはポリエステル樹脂に、予めアルミニウムを蒸着させたポリエステル樹脂を貼り合わせた樹脂フィルムを使うことができる。樹脂フィルムからなる鏡は、一般に知られた接着剤を用いて容器に接着する。例えば、エポキシ樹脂、イソシアネート系、αーシアノアクリラート系、エチレンー酢酸ビニル共重合体樹脂、ポリアミド、ポリエステル樹脂、ポリ酢酸ビニル樹脂、ポリ塩化ビニル樹脂、ポリビニルアルコール樹脂、ポリビニルアセタール樹脂、フェノール樹脂、メラミン樹脂、尿素樹脂、不飽和ポリエステル樹脂、ポリウレタン樹脂、ポリエステルポリウレタン樹脂等の接着剤が適用できる。また、ゴム系接着剤として、天然ゴム、クロロプレンゴム、ブチルゴム、スチレンーブタジエンゴム、アクリロニトリルーブタジエンゴムなどが適用できる。
【実施例】
【００１０】
図１に示すように、ポリエチレンテレフタレートからなる飲料容器外側の胴部曲面部に、鏡機能を有するアルミニウムを蒸着したポリエチレンテレフタレートと透明なポリエチレンテレフタレートとを貼り付けた樹脂フィルムを添付した飲料容器は、鏡として充分使え、極めて利便性に優れることが判明した。
【産業上の利用可能性】
【００１１】
本考案の容器は、容器の側面、蓋、あるいは底部の少なくとも一カ所以上に物体を映すことのできる鏡を有するので、鏡を曲面部に取り付けても充分機能を有するものであった。また、鏡をいつも持ち歩かなくても、自動販売機から鏡付き容器を購入することにより、身だしなみは可能となる。また、落としても割れる心配はなく、安全性に優れる。
【図面の簡単な説明】
【００１２】
【図１】本考案の実施形態に係る容器の正面図である。
【符号の説明】
【００１３】
１  容器
２  鏡取り付け部
【図１】
0003110713.tif 000003
(57)【要約】  【課題】  袋本体自体に袋の内容物、例えば粉末状及び顆粒状物品専用のスプーン等の物品を配置させる仕切室を設けたスライダタイプのファスナ付き包装袋。  【解決手段】  袋本体（１）の開口部にスライダ（４）により開閉可能なファスナ（５）を備えた包装袋において、スライダ（４）により係脱する雌トラック（６）と雄トラック（７）とを有するＶ字形の隔壁仕切体（８）により袋本体（１）の上部内側に袋本体（１）内の内容物専用の物品を配置させる仕切室（１１）を形成したものである。【選択図】    図１
0003110795.tif 000002
【実用新案登録請求の範囲】
【請求項１】
袋本体の開口部にスライダにより開閉可能なファスナを備えた包装袋において、スライダにより係脱する雌トラックと雄トラックとを有するＶ字形の隔壁仕切体により袋本体の上部内側に袋本体内の内容物専用の物品を配置させる仕切室を形成したスライダタイプのファスナ付き包装袋。
【考案の詳細な説明】
【技術分野】
【０００１】
本考案は袋本体の開口部にスライダにより開閉可能なファスナを備えたスライダタイプのファスナ付き包装袋に関するものである。
【背景技術】
【０００２】
従来、粉末状及び顆粒状物品、例えば塩、砂糖、小麦粉、コーヒー等を少しづつ取り出して使用するためのスライダタイプのファスナ付き包装袋が公知であり（特許第３０２６８３９号明細書参照）、該ファスナ付き包装袋はスライダを有すると共に該スライダにより互いに係脱するファスナの雌トラックと雄トラックを有するプラスチック製帯状片の両側端部を袋本体のプラスチック製表面側シートと背面側シートの両側端部と共にヒートシールし、雌トラックを有する帯状片の上端縁を背面側シートにヒートシールし、その後雄トラックを有する帯状片の上端縁を表面側シートにヒートシールすることによりスライダを有するファスナを袋本体の開口部に取付けている。使用においてはスライダを閉鎖位置と開放位置に移動させることによりファスナを開閉させ、袋の粉末状及び顆粒状物品を取り出すことができるようになっている。
【０００３】
【特許文献１】特許第３０２６８３９号明細書
【考案の開示】
【考案が解決しようとする課題】
【０００４】
上述したスライダタイプのファスナ付き包装袋においては袋内の粉末状及び顆粒状物品を取り出すのに一般的にはスプーンを使用するのであるが、スプーンを探し出すのが面倒であり、袋の口のファスナを通して直接袋から粉末状又は顆粒状物品を落下放出させて取り出す場合があり、その場合にファスナの雌トラックの溝に粉末状又は顆粒状物品が入り、ファスナが目詰まりしてスライダにより開閉できなくなり、ファスナが使用不能となる場合がありまた正確な量の粉末状物品を取り出すことができない。
【０００５】
本考案の目的は袋本体自体に袋の内容物、例えば粉末状及び顆粒状物品専用のスプーン等の物品を配置させる仕切室を備えたスライダタイプのファスナ付き包装袋を提供することにある。
【課題を解決するための手段】
【０００６】
本考案のスライダにより開閉可能なファスナを有する包装袋はスライダにより係脱する雌トラックと雄トラックとを有するＶ字形の隔壁仕切体により袋本体の上部内側に袋本体内の内容物専用の物品を配置させる仕切室を形成したものである。
【考案の効果】
【０００７】
本考案は上述した構成であるから、包装袋それ自体に袋本体の内容物、例えば粉末状又は顆粒状物品専用のスプーン等の物品を備えることができ、包装袋の開封後に専用物品を簡単かつ迅速に取り出すことができ、専用物品を配置させる仕切室の形成が容易であり、袋本体内の内容物の取り出し及び使用が非常に便利である。
【考案を実施するための最良の形態】
【０００８】
図において符号１はプラスチック製シートの袋本体を示し、袋本体１は表面側シート２と背面側シート３とを有し、その開口部にはスライダ４により開閉可能なファスナ５を取付けてある。ファスナ５は溝の形状における雌トラック６と突起の形状における雄トラック７とから構成され、雌トラック６の溝と雄トラック７の突起とをスライダ４により互いに嵌合させかつ離脱させることによりファスナ５を開閉させることができる。
【０００９】
ファスナ５の雌トラック６は中央部で折り畳んだプラスチック製シートから成るＶ字形の隔壁仕切体８の一方の隔壁９の上端に取付けられ、ファスナ６の雄トラック７は隔壁仕切体８の他方の隔壁１０の上端に取付けられ、隔壁仕切体８のＶ字形の下端には手で容易に切断できるように薄肉破断部を形成してあり、スライダ４によりファスナ５を開放させた後、その薄肉破断部を切断して袋本体の粉末状又は顆粒状物品を取り出すことができるようになっている。
【００１０】
Ｖ字形の隔壁仕切体８の両側端部を表面側シート２と背面側シート３の両側端部と共にヒートシールし、雌トラック６を有する隔壁仕切体８の隔壁９の上端部を表面側シート２の上端部にヒートシールし、雄トラック７を有する隔壁１０の上端部を背面側シート３にヒートシールすることにより、袋本体１の開口部にスライダ４を有するファスナ６を取付けると共に袋本体１の上部内側に仕切室１１を形成する。該仕切室１１内にはスプーン１２を配置させる。中央部で折り畳んで形成するＶ字形の隔壁仕切体８の隔壁９，１０の巾を長く又は短くすることにより仕切室１１の大きさを変化させることができる。
【００１１】
隔壁仕切体８の両側端部を表面側シート２と背面側シート３の両側端部と共にヒートシールし、雌トラック６を有する隔壁９を表面側シート２にヒートシールした後に、雄トラック７を有する隔壁９と背面側シート３との間から袋本体１内に粉末状又は顆粒状物品１３を充填させ、その後雄トラック７を有する隔壁１０と背面側シート３とをヒートシールする。それにより、粉末状又は顆粒状物品１３を内装した袋本体１の開口部にスライダ４を有するファスナ６を取付けると共にスプーン１２を配置させる仕切室１１を形成することができる。
【００１２】
本考案による仕切室１１にはスプーン１２を配置させてあるが、袋本体の内容物に応じて、スプーン以外の他の材料、例えば割りばし、又は辛子、海苔、薬味等の調味料を封入させることもできる。
【図面の簡単な説明】
【００１３】
【図１】本考案の包装袋の一部を切欠して示した正面図である。
【図２】本考案の包装袋の縦断側面図である。
【符号の説明】
【００１４】
１      袋本体
２      表面側シート
３      背面側シート
４      スライダ
５      ファスナ
６      雌トラック
７      雄トラック
８      隔壁仕切室
９      隔壁
１０    隔壁
１１    仕切室
１２    スプーン
１３    粉末状又は顆粒状物品
【図１】
0003110795.tif 000003
【図２】
0003110795.tif 000004
(57)【要約】【課題】開封してから好みの飲料を用いて、好みのアルコール度に割って飲むことができ、而も割り用飲料を注入するときにはこぼすことなく容易に注入することができるようにする。【解決手段】プラスチック製キャップ４を瓶口に被着した広口の容器１を用いる。該広口の容器１内に、開封後の所望量の割り用飲料を注入することができるようにするための空間部分Ｓを残した状態において、所定量の焼酎５を充填する。【選択図】図１ 
0003110791.tif 000002
【実用新案登録請求の範囲】
【請求項１】
広口容器内に、開封後に所望量の割り用飲料を注入することができるようにするための空間部分を残した状態において、所定量の焼酎を充填してなる容器入り焼酎。
【請求項２】
広口容器が、広口のガラス、プラスチック等からなる容器であり、且つその瓶口にプルタブ付きのアルミ製密封板を取り付けてなる容器である請求項１記載の容器入り焼酎。
【請求項３】
広口容器が、広口のガラス、プラスチック等からなる瓶であり、且つその瓶口にプルタブ付きのアルミ製密封板を取り付けると共にその外側にプラスチック製キャップを被着してなる容器である請求項１記載の容器入り焼酎。
【考案の詳細な説明】
【技術分野】
【０００１】
本考案は容器入り焼酎に関するものである。
【背景技術】
【０００２】
近年、焼酎は清酒やウイスキー、ブランデーといった洋酒に劣らない程の需要量となってきている。そしてまた、焼酎をどこででも飲むことができるようにするためにアルミ缶に入れたものも提供されている。
【考案の開示】
【考案が解決しようとする課題】
【０００３】
ところで、焼酎は、そのアルコール度が高い等のことから、これを飲むときには湯やウーロン茶等で適度に割って飲むことが一般的である。そしてまた、焼酎に割るための飲料は、夫々の好みによって適宜に選択している。
【０００４】
しかし、従来のアルミ缶入り焼酎は、予め所定のアルコール度になるように割った焼酎が缶内に満タン状態に充填され、且つ割る飲料も限定されている。
【０００５】
このため、従来のアルミ缶入り焼酎は、これを飲むときにあっては常にそのアルコール度が一定であって、好みに応じて調節することができない。尚、開封して充填した焼酎の一部を出し、出した分だけ適宜の飲料を注入して割ることもできないわけではないが、缶の飲み口がきわめて小さいために、これはきわめて面倒である。また、予め決められた飲料で割ってあるから、当該飲料が好みでない場合には買い渋ることになる。
【０００６】
本考案は上記の点に鑑みなされたものであって、どこにでも手軽に持ち運べることから、どこででも飲むことができ、そしてまた、開封してから好みの飲料を用いて、好みのアルコール度に割って飲むことができ、而も割り用飲料を注入するときには、容器の口が広いことから、こぼすことなく容易に注入することができるようになした容器入り焼酎を提供せんとするものである。
【課題を解決するための手段】
【０００７】
而して、本考案の要旨とするところは、広口容器内に、開封後に所望量の割り用飲料を注入することができるようにするための空間部分を残した状態において、所定量の焼酎を充填してなる容器入り焼酎にある。
【０００８】
また、上記構成における広口容器３としては、広口のガラス、プラスチック等からなる瓶であり、且つその瓶口にプルタブ付きのアルミ製密封板を取り付け、更に必要に応じてその外側にプラスチック製キャップを被着したものが好ましい。
【考案の効果】
【０００９】
本考案によれば、どこにでも手軽に持ち運べることから、どこででも飲むことができ、そしてまた、開封してから好みの飲料を用いて、好みのアルコール度に割って飲むことができるものである。また、割り用飲料を注入するときには、容器の口が広いことから、こぼすことなく容易に注入することができるものである。加えて、飲み残すときには、キャップを再び被着することにより、こぼすことなく保存することができるものである。
【００１０】
また、本考案品を回転鮨店で使用するときには、客がこれを手に取り、目の前の湯出し口より湯を広口の容器に注ぐことにより、容易にお湯割り焼酎を楽しむことができるものである。
【考案を実施するための最良の形態】
【００１１】
本考案を実施するための最良の形態は、広口の容器内に、開封後に所望量の割り用飲料を注入することができるようにするための空間部分を残した状態において、所定量の焼酎を充填することにある。
【実施例】
【００１２】
以下、本考案の実施例について図面を参照しつつ説明する。
図１は一部切欠して示した正面図、図２は開封して焼酎を適宜の飲料で割った状態の中央縦断正面図である。
【００１３】
図中、１は容器であり、広口のガラス、プラスチック等からなる瓶が用いられる。また、該広口の容器１の瓶口２は、プルタブ３ａ付きのアルミ製密封板３が取り付けられ、更にその外側にはポリエチレン等のプラスチック製キャップ４が被着されている。
【００１４】
５は前記広口の容器１内に充填した焼酎である。そしてまた該焼酎５は、開封後に所望量の割り用飲料を注入することができるようにするための空間部分を残した状態において、容器１内に充填している。尚、図においてＬ１は容器１内に充填した状態における焼酎５の液面の位置、Ｌ２は湯やウーロン茶等の好みの飲料で割ったときの状態における焼酎５の液面の位置を示し、そしてまた、Ｓは該液面Ｌ１とＬ２との間の空間部分を示す。
【００１５】
而して、焼酎を飲むときは、先ず外側のプラスチック製キャップ４を外し、次にその内側のアルミ製密封板３を除去するものである。尚、これはプルタブ３ａを引っ張ることによって行う。そして、このようにして開封してから、好みの飲料を瓶口２から注入して割るものである。また、好みの飲料で割るときには、注入する量を適宜に多くしたり少なくして調節すれば、好みのアルコール度にして飲むことができる。そしてまた、このように割り用飲料を注入するときには、瓶口２が広いことから、こぼすことなく容易に注入することができるものである。加えて、飲み残すときには、プラスチック製キャップ４を再び被着することにより、こぼすことなく保存することができるものである。
【図面の簡単な説明】
【００１６】
【図１】本考案の実施例に係る容器入り焼酎の一部切欠して示した正面図である。
【図２】開封して焼酎を適宜の飲料で割った状態の中央縦断正面図である。
【符号の説明】
【００１７】
１  広口の容器
２  瓶口
３  アルミ製密封板
４  プラスチック製キャップ
５  焼酎
【図１】
0003110791.tif 000003
【図２】
0003110791.tif 000004
(57)【要約】【課題】嵩張らず、広告面が広く、印刷ズレがあったとしても目立たない販売促進用具を提供する。【解決手段】立方体状の紙箱製品１を２個、横並びに並べて、透明なフィルム包装材２で包装し、かつ包装材２に取手３を付けており、２個の紙箱製品の表面同士または裏面同士に、広告内容を印刷している。紙箱１の個数が少なくても、表面または裏面を合わせた面積は広くなり、持ち運びも便利なので、広告効果が高くなる。また、紙箱１の数が少ないので、印刷ズレがあったとしても目立たないので広告効果を損なわない。【選択図】図１
0003110703.tif 000002
【実用新案登録請求の範囲】
【請求項１】
立方体状の紙箱製品を複数個、横並びに並べて、透明な包装材で包装し、かつ包装材に取手を付けており、
複数個の紙箱製品の表面同士または裏面同士に、広告内容を印刷している
ことを特徴とする販売促進用品。
【考案の詳細な説明】
【技術分野】
【０００１】
本考案は販売促進用品に関する。さらに詳しくは、イベントやキャンペーンなどで一般大衆に配布する販売促進用品に関する。
【背景技術】
【０００２】
従来、販売促進用品として、ティッシュやタオルペーパーなどの紙製品を紙箱に詰めた商品（非特許文献１）を用いることがあった。
ティッシュの紙箱ｂの場合は、図２に示すように、５段重ねにして、透明フィルムｆで包装して、簡易な取手ｈを付けて、店頭や展示会場等で来場者に手渡すのが普通である。
ところが、前記従来例では、つぎのような問題がある。
ａ）大きくて嵩張るので持ち運びにくく、手渡しても喜んでもらえない。
ｂ）上下に積み重ねると、広告面ｓは左右の側面となるが、側面は面積が狭いので、広告内容が制限される。
ｃ）５段重ねの側面を合わせて一つの広告面と考えて、全体で一つの絵柄にする方法もあるが、そうすると、各段の絵柄にズレがあると４カ所でズレが生じるので、それが目立ってしまい、かえって広告効果を損なわせてしまう。
【０００３】
【非特許文献１】商品大辞典  818頁  左欄
【考案の開示】
【考案が解決しようとする課題】
【０００４】
そこで本考案は、嵩張らず、広告面が広く、印刷ズレがあったとしても目立たない販売促進用具を提供することを目的とする。
【課題を解決するための手段】
【０００５】
第１考案の販売促進用品は、立方体状の紙箱製品を複数個、横並びに並べて、透明な包装材で包装し、かつ包装材に取手を付けており、複数個の紙箱製品の表面同士または裏面同士に、広告内容を印刷していることを特徴とする。
【考案の効果】
【０００６】
第１考案によれば、紙箱の個数が少なくても、表面または裏面を合わせた面積は広くなるので、広告内容の自由度が高くなる。また、箱の数が少ないので、印刷ズレがあったとしても目立たないので広告効果を損なわない。
【考案を実施するための最良の形態】
【０００７】
つぎに、本考案の実施形態を図面に基づき説明する。
図１は本考案の一実施形態に係る販売促進用品Ａの斜視図である。
同図に示すように、本実施形態の販売促進用品Ａは、立方体状の紙箱製品１を複数個、例えば２個を横並びに並べて、透明なフィルム包装材２で包装し、かつ包装材に取手３を付けており、複数個の紙箱製品１の表面同士または裏面同士に、広告内容を印刷している。紙箱１，１の表面と裏面は面積が広いので紙箱１の個数が少なくても、広告を印刷できる面積は広くなるので、広い面積に一つのコンセプトの絵柄（図では「ＡＢＣ」で例示）を描くことができる。このため、広告内容の自由度が高くなる。
【０００８】
また本実施形態の販売促進用品Ａは、紙箱１が２個であるので、印刷に要する製版が２個で足り、印刷経費が安くなる。
さらに、２個の紙箱１，１の間で印刷ズレが生じたとしても、ズレは一ヵ所しかないので目立たず、広告効果が損なわれることがない。
そして、紙箱１が２個であることは、コンパクトとなるので、持ち運びが便利であり、もらった人に喜んでもらえる。しかも、取手３は、紙箱１の端面に取付けたので、人が取手３を持つときは、広い広告面が縦向きになって、人の眼に触れやすくなる。
以上の理由で、本考案は広告効果が高い販売促進用具となる。
【図面の簡単な説明】
【０００９】
【図１】本考案の一実施形態に係る販売促進用品の斜視図である。
【図２】従来の紙箱パックの斜視図である。
【符号の説明】
【００１０】
１    紙箱
２    フィルム包装材
３    取手
【図１】
0003110703.tif 000003
【図２】
0003110703.tif 000004
(57)【要約】      （修正有）【課題】勾配のある屋根で安全かつ作業性が向上する架台を提供する。【解決手段】地上において組み立てられた架台の金具を棟木８に１本の釘で打ち付け、高さ調整角度自在金具を母屋１０に１本の釘で打ち付ける。平面から見れば、４本の釘で打ち付ける為、安全に固定され水平になった架台上に必要とする材料を安全に置く事が出来る。【選択図】図１２
0003114409.tif 000002
【実用新案登録請求の範囲】
【請求項１】
架台支柱（２）の上部に蝶ボルト付き金具（１）を溶接し、ツーバイフォー（２×４）又は、４５ｍｍ×９０ｍｍの木材が固定出来るようにするとともに、両端穴あき筋交い金具（図８）を蝶ナットで締め付け出来るボルト（４）を２ヶ所取り付け、両端穴あき筋交い金具（図８）を４本で筋交い連結金具（図４、図５）を介してＸ字形に組立て、また一方で架台となるツーバイフォー（２×４）、又は、４５ｍｍ×９０ｍｍの木材を棟木、または母屋に取り付けられるよう架台止め金具（図６、図７）を使い、屋根勾配に合わせ、水平に取り付けた上に建築材料を安全に置く事を可能にし、作業終了後は、コンパクトに分解収納出来る事を特徴とする架台。
【考案の詳細な説明】
【技術分野】
【０００１】
本考案は、安全に住宅建築を行う事に関するものである。
【背景技術】
【０００２】
特別に定まった方法は無かった。
【０００３】
この架台を使用する事によって勾配のある屋根に建築材料が安全に置く事が出来る。
【考案の開示】
【考案が解決しようとする課題】
【０００４】
解決しようとする問題は、住宅建築中にはいろいろな材料（垂木、野地板、合板…等）を移動式クレーンによって勾配のある屋根へ吊り上げているが、決まった場所に置く事が出来ない為、不安定な場所に置く事になり、滑り落ちる危険性があった。
【課題を解決するための手段】
【０００５】
本考案は、図９、図１０、図１１で示すようにコンパクトに作成した金具を使用し、建築現場で建築に使う木材ツーバイフォー（２×４）又は、４５ｍｍ×９０ｍｍを利用して組み立てるものである。先ず、図９では１本の木材（６）を架台柱金具（図１、図２）から中央に筋交い連結金具（図４、図５）を通し、両端穴あき筋交い金具（図８）４本を介して架台柱金具（図１、図２）へと３点を蝶ボルトで締め付け固定させる。また一方では、図１１のように架台となる2本の木材（７）を架台止め金具（図６、図７）を通して固定し、図１の符号１へ通し、蝶ボルトで締め付け、建築現場では大きな架台として使用出来る事を特徴とするものである。
【考案の効果】
【０００６】
本考案は安全第一と作業性の向上が、格段に上がるもので、その実用新案的価値は極めて大きいものがある。  
【考案を実施するための最良の形態】
【０００７】
勾配のある屋根を水平にする架台を地上にて大きな架台に作り、移動式クレーンによって取り付けられる。また作業後は、組み立て順の逆に解体すれば、コンパクトに作成された金具として収納出来る。
【実施例１】
【０００８】
地上において組み立てられた架台の金具（図６、図７）を図１２の棟木８に１本の釘で打ち付け、一方の金具図２の高さ調整角度自在金具５を母屋（図１２）の１０に１本の釘で打ち付ける。平面から見れば、４本の釘で打ち付ける為、安全に固定され水平になった架台上に必要とする材料を安全に置く事が出来る。
【図面の簡単な説明】
【０００９】
【図１】架台柱金具の前面図である。
【図２】架台柱金具の側面図である。
【図３】角度調整の平面図である。
【図４】筋交い連結金具の前面図である。
【図５】筋交い連結金具の側面図である。
【図６】架台止め金具の側面図である。
【図７】架台止め金具の平面図である。
【図８】両端穴あき筋交い金具の平面図である。
【図９】架台組立ての前面図である。
【図１０】架台組立ての平面図である。
【図１１】架台組立ての側面図である。
【図１２】本考案の架台取り付け一部切欠斜視図である。
【符号の説明】
【００１０】
１．  蝶ボルト付き架台木材挿入金具
２．  架台支柱
３．  筋交い金具固定木材挿入金具
４．  筋交い金具固定ボルト
５．  角度調整金具
６．  筋交い固定木材
７．  架台用固定木材
８．  棟木
９．  小屋束
１０．母屋
１１．小屋束
【図１】
0003114409.tif 000003
【図２】
0003114409.tif 000004
【図３】
0003114409.tif 000005
【図４】
0003114409.tif 000006
【図５】
0003114409.tif 000007
【図６】
0003114409.tif 000008
【図７】
0003114409.tif 000009
【図８】
0003114409.tif 000010
【図９】
0003114409.tif 000011
【図１０】
0003114409.tif 000012
【図１１】
0003114409.tif 000013
【図１２】
0003114409.tif 000014
(57)【要約】      （修正有）【課題】市販の粘着テープを使用したスロットマシーン遊技場の床に落ちたコインを、低コストで、簡易に清掃（回収）する機器の提供。【解決手段】既成粘着テープを装着し、小型ローラーを通すことで、粘着部分を外側にし、底の平坦面の粘着部でコインを吸着し清掃（回収）する。粘性の減少したテープは切断ヶ所で引き出しカットする。その結果、営業中であっても、ゴミを拾うのと同様に、コインを拾うことができる。【選択図】図１
0003114494.tif 000002
【実用新案登録請求の範囲】
【請求項１】
スロットマシーン遊技場の床に落ちたるコインを回収する時に、既成粘着テープを利用して、低コストで、なおかつ、簡易的作業にて、吸着回収する機器（清掃用具）である。
【考案の詳細な説明】
【技術分野】
【０００１】本考案は市販の粘着テープを使用し床に落ちたコインを清掃（回収）する機器である。
【背景技術】
【０００２】石貼り等の平滑な床面に落ちた遊技コインの回収は、従来、従業員がしゃがんで手指でつまみあげて拾う方法だけで手間がかかり、不衛生でもあった。そのうえ、通常、従業員は営業中には拾うことはできない状況がある。【０００３】この改善のため、粘着平面を利用して、コインを吸着して、回収できる機器の開発が必要である。
【考案の開示】
【考案が解決しようとする課題】
【０００４】従業員の不安定姿勢で不衛生な手作業によるコインの回収を機器により簡易な作業に変えることができ、しかも、遊技中のお客に悪い印象を与えることなく、営業中でも、コインを回収できる。
【課題を解決するための手段】
【０００５】柄の先端に粘着性のシートを装着することにより、楽な姿勢で床のコインを吸着できれば、前述の問題点を飛躍的に解消することができる。
【考案を実施するための最良の形態】
【０００６】既成の粘着テープを使用して低コスト化を図り、常に平坦な粘着面を得るために両端にローラーを装備することにより、最良の形態を生み出す。
【図面の簡単な説明】
【０００７】
【図１】本考案の機器の実施例を示した姿図。
【符号の説明】
【０００８】Ａ．本体    イ、前ローラー
ロ、後ローラー
ハ、カッター
二、柄
Ｂ．粘着テープ芯
【使用の要領】
【０００９】１．市販の粘着テープ（巾５０ｍｍのもの）をテープ芯に装着
２．本体のテープ芯受けに上から入れる。
３．粘着テープの先端を、イ〜ロのローラーを経由しハのカッター部分に切断し止める。
４．ニの柄を持ち、押さえるように、本体底面にて床のコインを粘着させる。
５．本体を持ち上げて、底部に吸着したコインを回収する。
６．イ〜ロの底部テープに粘性が不足したるときは、ハのカッターからテープをはがし、引出し、２００ｍｍ程切り、撤去する。
７．３にもどる。
【図１】
0003114494.tif 000003
【手続補正書】
【提出日】平成17年6月13日(2005.6.13)
【手続補正１】
【補正対象書類名】実用新案登録請求の範囲
【補正対象項目名】請求項１
【補正方法】変更
【補正の内容】
【請求項１】
スロットマシーン遊技場の床に落ちたるコインを回収する時に、粘着テープを利用して、低コストで、なおかつ、簡易的作業にて、吸着回収する機器である。
(57)【要約】      （修正有）【課題】郵便物の中の封書の開封に時間を取られ、下手に開封をすれば同封の書類を傷め困ることが多かった。たとえ糸やテープを封筒の内側に接着しても太さ厚みは微々たる物で従来どり使用に不便なく、封筒を切り離すものではなく、一辺を切り裂くので切り離した塵がでない。生産コストより現在の開封時間のほうが高くつきそんな封筒があれば便利である。【解決手段】糸、及びテープを封筒に装着（接着）する。【選択図】図１
0003114492.tif 000002
【実用新案登録請求の範囲】
【請求項１】
糸、及びテープ（帯状）を使い封筒の開封を簡単に行なう装置。
【考案の詳細な説明】
【考案詳細な説明】
【０００１】封書ならびダイレクトメーエルの多い時代、開封に時間をかける手間を、減らす方法を考案した。
【産業上の利用分野】
【０００２】この考案は、上記のように、開封に時間をかけず簡単に書類を取り出すことが出来る。
【従来の開封方法】
【０００３】手で切ったりハサミ、カッターなど刃物で開封を行なっていた。
【考案が解決する課題】
【０００４】０００２番の指摘する道具がいらず、簡易開封装置を、付ければ封筒が簡単に開封が出来る。
【課題を解決するための手段】
【０００５】糸、及びテープを封筒の内側（図面▲５▼）に接着剤で接着し、一辺を固定し反対側を表側に引き上げて、紙を切り裂き開封する。
紙の材質、厚みサイズ等の違いで糸、テープの材質、形状を変え、封筒の種類により装着する位置を適性な場所に接着する。なお外側にも糸、テープを接着することもある。
【作用】
【０００６】（図面▲８▼）のように糸、及びテープ全体を封筒に接着し一辺固定し反対側にツマミを付けそれを引き上げ簡単に開封する。
【実施例】
【０００７】封筒の開封部の内側に、糸及びテープ全体を接着剤などを使い接着し、糸の一辺を封筒に固定し、反対側をツマミの為、封筒の外側にはがし易くするため仮付けし、開封時に剥がし、封筒を押さえ、ツマミ（反対側の糸、及びテープが接着されている）を角度をつけて引き上げ開封する。
なお、使用方法を簡単に印字し、説明して普及をはかる。
【考案の効果】
【０００８】封筒の開封にハサミやカッターを使わず指先で切るよりも指先で開封装置のツマミを引くだけで  簡単に開封が出来る。
【図面の簡単な説明】
【０００９】
【図１】  封筒の閉封状態。
【図２】  開封ツマミを仮付けから剥がした状態。
【図３】  封筒の開封後の状態。
【図４】  封筒の断面図、開封ツマミ（▲１▼）を（▲８▼）ように角度をつけて引き上げ紙を切る方向を図で描いた。
【符号の説明】
【００１０】▲１▼  開封用ツマミ
▲２▼  開封用糸、及びテープ
▲３▼  封筒
【図１】
0003114492.tif 000003
【図２】
0003114492.tif 000004
【図３】
0003114492.tif 000005
【図４】
0003114492.tif 000006
【手続補正書】
【提出日】平成17年3月28日(2005.3.28)
【手続補正１】
【補正対象書類名】実用新案登録請求の範囲
【補正対象項目名】全文
【補正方法】変更
【補正の内容】
【実用新案登録請求の範囲】
【請求項１】
糸又は、テープの端と開封用ツマミを一体化し、開封ツマミを作り、封筒製造時に開封ツマミ以外の糸又は、テープ部分を封筒の内面又は、外面に接着剤などで接着する。開封時は、封筒に接着していない開封ツマミを、引き上げ糸又は、テープが封筒の接着部分を引き裂き開封する糸又は、テープは封筒の材質より強い物を使用する。開封ツマミは封筒の外側に仮どめし、剥がしやすくしておく、以上の装置を施した封筒。簡易開封装備付封筒。
【手続補正書】
【提出日】平成17年6月20日(2005.6.20)
【手続補正１】
【補正対象書類名】実用新案登録請求の範囲
【補正対象項目名】全文
【補正方法】変更
【補正の内容】
【実用新案登録請求の範囲】
【請求項１】
封筒▲３▼の開封を簡単にするため開封分に付ける、糸、又はテープ▲２▼に開封用ツマミ▲１▼を設けた封筒簡易開封装置。
(57)【要約】      （修正有）【課題】鉄筋コンクリート造などの構造物の壁・床などに対して、鉄筋に対してのコンクリートカブリを、より十分確保し、かつ亀裂を生じにくくすること、そして、コンクリートの施工をよくすることである。【解決手段】壁・床・耐圧盤などの板材に対して、板厚を基準として、配筋は、タテ筋、ヨコ筋のそれぞれの間隔を板厚とし、板厚の芯に、シングルに配筋することである。【選択図】図１
0003114495.tif 000002
【実用新案登録請求の範囲】
【請求項１】
本案は、鉄筋コンクリート造などの構造物の壁・床・耐圧盤などの板材に対して、板厚を基準として、配筋は、縦筋、横筋のそれぞれの間隔を板厚とし、板厚の芯に、シングルに配筋する方法である。
【考案の詳細な説明】
【考案の詳細な説明】
〔産業上の利用分野〕
【０００１】この方法で施工すれば、コンクリートカブリが、十分確保でき、鉄筋を保護できる。コンクリートの打設が、しやすい。そして、亀裂も生じにくくなり、振動などに対して、より対応できるのである。
建築物、土木構造物などに活用でき、木質構造、鉄骨鉄筋コンクリート造、鉄骨造、鉄筋コンクリート造などの部位の配筋として、使用でき、広い範囲において、活用できる。
〔従来の技術〕
【０００２】構造物の壁・床などに対して、ダブル配筋に施工したり、又、タテ筋、ヨコ筋の間隔が、バラバラであります。
そして、理論的に、配筋方法が、確立されていないのである。
〔考案が解決しようとする課題〕
【０００３】構造物の壁・床などに対して、十分なコンクリートカブリを確保することであり、かつ振動などにおいて、亀裂を生じにくくすることである。そして、コンクリートの施工をしやすくすることである。
〔課題を解決するための手段〕
【０００４】壁・床などの板材の板厚において、タテ筋・ヨコ筋のそれぞれの間隔を板厚と同じとし、タテ筋・ヨコ筋のそれぞれを板厚の芯に配筋することである。
〔作用〕
【０００５】地球のシステムより考え、物理学上、角運動量保存の法則を加味して、板厚の芯に配筋をして、周囲のコンクリートより、重いものとする。
そして、板材において、断面から、板厚の正方形の集合体とする。
又、剪断変形より、４５°方向に亀裂が生じることより、正方形として、この正方形（板厚）の中心で、タテ筋・ヨコ筋を十字配筋とする。
板材をより剛なものにし、曲げモーメント、剪断力により対応できるのである。外力が、加わることにより、回転を生じることであり、これに対して対応することが重要である。
〔実施例〕
【０００６】経験から見て、この配筋がよいし、より地球のシステムに合致している。そして、コンクリートの施工によいのである。
〔考案の効果〕
【０００７】この配筋方法で施工すれば、より十分なコンクリートカブリ厚さを確保でき又、亀裂も生じにくくなり、そして、コンクリートも施工しやすく、構造物に対して、より安全・安心となるのである。
【図面の簡単な説明】
【０００８】〔図１〕タテ筋とヨコ筋の配筋の立面図
〔図２〕壁・床などの板厚の配筋の断面図
【符号の説明】
【０００９】▲１▼タテ筋    ▲３▼正方形    ▲５▼コンクリート
▲２▼ヨコ筋    ▲４▼板厚
【図１】
0003114495.tif 000003
【図２】
0003114495.tif 000004
【手続補正書】
【提出日】平成17年5月12日(2005.5.12)
【手続補正１】
【補正対象書類名】実用新案登録請求の範囲
【補正対象項目名】全文
【補正方法】変更
【補正の内容】
【実用新案登録請求の範囲】
【請求項１】
本案は、鉄筋コンクリート構造などの構造物の壁、床耐圧盤などの板材に対して、板厚を基準として、縦筋、横筋のそれぞれの間隔を板厚とし、板厚の芯に、シングル配筋とする鉄筋コンクリート構造の板材である。